(57)【要約】【課題】ユーザが表示画面を開閉させたり、スライドさせる際にタッチパネルに触れることで生ずる誤操作や誤動作等を防止することのできる電子機器を提供する。【解決手段】複数の表示画面21,31と、表示画面どうしを相対的に移動可能に連結する連結機構40と、表示画面に設けられたタッチパネル22,32と、タッチパネルからの信号を受信するタッチパネル制御部25,35と、表示画面に情報を表示すると共にタッチパネル制御部からの信号が入力される制御手段60と、表示画面どうしの相対的な移動を検知する移動検知センサ70と、を有する電子機器において、制御手段は、移動検知センサによって表示画面どうしの相対的な移動が検知されると、タッチパネル制御部からの信号を無効化する。【選択図】  図２
2012168618.tif 000002
【特許請求の範囲】
【請求項１】
情報を表示可能な複数の表示画面と、
前記複数の表示画面どうしを相対的に移動可能に連結する連結機構と、
該複数の表示画面の少なくとも１に設けられ、ユーザが操作を行なうタッチパネルと、
該タッチパネルに電気的に接続され、タッチパネルからの信号を受信するタッチパネル制御部と、
各表示画面及びタッチパネル制御部に電気的に接続され、表示画面に情報を表示すると共にタッチパネル制御部からの信号が入力される制御手段と、
制御手段に電気的に接続され、表示画面どうしの相対的な移動を検知する移動検知センサと、
を有する電子機器において、
制御手段は、移動検知センサによって表示画面どうしの相対的な移動が検知されると、タッチパネル制御部からの信号の入力を無効化することを特徴とする電子機器。
【請求項２】
制御手段は、タッチパネル制御部がタッチパネルからの信号を受信している間に、移動検知センサによって表示画面どうしの相対的な移動が検知されると、前記入力されている信号を無効化する請求項１に記載の電子機器。
【請求項３】
制御手段は、タッチパネル制御部からの信号の入力を無効化した後、所定時間経過後にタッチパネル制御部からの入力を有効に切り替える請求項１又は請求項２に記載の電子機器。
【請求項４】
制御手段は、タッチパネル制御部からの信号の入力を有効に切り替える際に、移動検知センサによって表示画面の相対的な移動が検知される前から、タッチパネル制御部に継続して信号が入力されている場合、継続して入力されている信号を有効とする請求項３に記載の電子機器。
【請求項５】
連結機構は、複数の表示画面を相対的に回動可能に連結するものであり、
移動検知センサは、表示画面どうしの相対的な移動として、表示画面どうしの相対的な回動を検知する請求項１乃至請求項４の何れかに記載の電子機器。
【請求項６】
連結機構は、複数の表示画面が略同一平面に位置するよう相対的に移動させ、表示画面の端部どうしが接近するように表示画面どうしを連結するものであり、
移動検知センサは、表示画面どうしの相対的な移動として、表示画面どうしが接近及び／又は離間したことを検知する請求項１乃至請求項４の何れかに記載の電子機器。
【発明の詳細な説明】
【技術分野】
【０００１】
本発明は、複数の表示画面を有する電子機器に関するものであり、より具体的には、操作性の向上を図り、誤操作、誤動作等を防止することのできる電子機器に関するものである。
【背景技術】
【０００２】
文字や画像などの情報を表示可能な表示画面を有する電子機器が知られており、この種の電子機器では、表示画面にユーザが操作可能なタッチパネルを具えたものがある(例えば特許文献１参照)。
特許文献１の電子機器では、タッチパネルの誤操作や誤動作等を防止するために、ユーザの指定に基づいて、タッチパネルの有効又は無効の設定範囲を決定することができるようになし、ユーザの操作により、予め又はユーザによって設定された範囲でタッチパネルを無効化できるようにしている。
【先行技術文献】
【特許文献】
【０００３】
【特許文献１】特開２００９−８０６８３号公報
【発明の概要】
【発明が解決しようとする課題】
【０００４】
しかしながら、上記電子機器では、タッチパネルの有効又は無効を切り替えるために、ユーザが予め切替操作を行なっておく必要があるため不便を感じることがある。
【０００５】
また、複数の表示画面を有する電子機器において、表示画面を開閉させたり、スライドさせるなど、表示画面を相対的に移動させて使用する場合に、ユーザが意図せずタッチパネルへ触れてしまうことがある。
このような場合、予めユーザの切替操作によってタッチパネルが無効化されていなことが多く、誤操作や誤動作等が生じやすい問題があった。
【０００６】
本発明の目的は、ユーザが表示画面を開閉させたり、スライドさせる際にタッチパネルに触れることで生ずる誤操作や誤動作等を防止することのできる電子機器を提供することである。
【課題を解決するための手段】
【０００７】
上記課題を解決するために、本発明の電子機器は、
情報を表示可能な複数の表示画面と、
前記複数の表示画面どうしを相対的に移動可能に連結する連結機構と、
該複数の表示画面の少なくとも１に設けられ、ユーザが操作を行なうタッチパネルと、
該タッチパネルに電気的に接続され、タッチパネルからの信号を受信するタッチパネル制御部と、
各表示画面及びタッチパネル制御部に電気的に接続され、表示画面に情報を表示すると共にタッチパネル制御部からの信号が入力される制御手段と、
制御手段に電気的に接続され、表示画面どうしの相対的な移動を検知する移動検知センサと、
を有する電子機器において、
制御手段は、移動検知センサによって表示画面どうしの相対的な移動が検知されると、タッチパネル制御部からの信号を無効化するようにしたものである。
【０００８】
具体的実施態様として、制御手段は、移動検知センサによって表示画面どうしの相対的な移動が検知されると、表示画面の移動前からタッチパネル制御部へ入力されている信号及び／又は表示画面どうしの移動中のタッチパネル制御部からの信号の入力を無効化することを例示できる。
【０００９】
制御手段は、タッチパネル制御部からの入力を無効化した後、所定時間経過後にタッチパネル制御部からの入力を有効に切り替えるようにすることが望ましい。
【００１０】
連結機構は、複数の表示画面を相対的に回動可能に連結するものであり、移動検知センサは、表示画面どうしの相対的な移動として、表示画面どうしの相対的な回動を検知する構成とすることができる。
【００１１】
連結機構は、複数の表示画面が略同一平面に位置するよう相対的に移動させ、表示画面の端部どうしが接近するように表示画面どうしを連結するものであり、移動検知センサは、表示画面どうしの相対的な移動として、表示画面どうしが接近及び／又は離間したことを検知する構成とすることができる。
【発明の効果】
【００１２】
本発明の電子機器によれば、ユーザがタッチパネルに触れた状態で、表示画面どうしの回動動作、スライド動作等の相対的な移動を伴う動作を行なったときに、その信号入力を無効化することができ、誤操作や誤動作等を防止できる。
【図面の簡単な説明】
【００１３】
【図１】図１は、本発明が適用される電子機器の一例を示す斜視図であって、表示画面どうしが略同一平面に位置し、接近したフラット接近状態を示している。
【図２】図２は、図１の状態から表示画面どうしを離間させたフラット離間状態を示す電子機器の斜視図である。
【図３】図３は、図２の状態から第１表示画面を第２表示画面に対して回転させ、第１表示画面を第２表示画面に対して傾けたチルト状態を示す電子機器の斜視図である。
【図４】図４は、表示画面どうしが重なった畳み状態を示す電子機器の斜視図である。
【図５】図５は、図１の状態から図３の状態へ至る過程を示す電子機器の側面図であって、図５(ａ)は、図１に示すフラット接近状態、図５(ｂ)は、図２に示すフラット離間状態、図５(ｃ)は、図３に示すチルト状態を示している。
【図６】図６は、図３のチルト状態の後、図４の畳み状態へ至る過程を示す電子機器の側面図であって、図６(ａ)は、第１表示画面を第２表示画面に対して前方へスライドするよう傾けた状態、図６(ｂ)は、図６(ａ)の状態からさらに第１表示画面をスライドするよう傾けた状態、図６(ｃ)は、図４に示す畳み状態を示している。
【図７】本実施例の電子機器のブロック図である。
【図８】動作の一例を示すフローチャート図である。
【発明を実施するための形態】
【００１４】
本発明は、複数の表示画面(21)(31)及び少なくともその１つにタッチパネル(22)(32)を具え、ユーザが開閉やスライド等させることで、視認性、操作性等を高めた電子機器(10)に関するものである。
【００１５】
より具体的には、表示画面(21)(31)どうしのスライド動作や回動動作などの相対的な移動の際に、ユーザがタッチパネル(22)(32)に触れたり、タッチパネル(22)(32)を掴んだりすることにより、ユーザの意図しない入力がなされ、誤操作や誤動作等が生ずることを防止することのできる電子機器(10)に関するものである。
【００１６】
表示画面(21)(31)どうしをスライドさせる際に生ずるユーザの意図しない入力の生ずる操作として、ユーザがタッチパネル(22)(32)をスライド方向に片手又は両手の親指で押す操作を例示できる。また、表示画面(21)(31)どうしの回動の際に生ずるユーザの意図しない入力の生ずる操作として、ユーザがタッチパネル(22)(32)を親指と四指で掴んだり押さえつけたままで表示画面(21)(31)を開く又は閉じる操作を例示できる。
これら操作をタッチパネル(22)(32)に実行した場合には、通常、ドラッグ、フリック、ピンチ、ロングタッチなどの入力(以下総称して「長押し操作」という)として認識される。
【００１７】
以下、本発明の電子機器(10)について、携帯型の電子機器を例に挙げて図面を用いて説明するが、以下に示す具体的な電子機器の構造、構成は、説明のためのものであって、本発明を限定的に解釈すべきでないことは勿論である。
【００１８】
まず、本実施例に係る携帯型電子機器(10)の構造について説明を行なう。
電子機器(10)は、図１乃至図６に示すように、文字、図形、画像、映像等の情報を表示可能な表示画面(21)(31)と、該表示画面の表面にユーザが触れることで操作可能なタッチパネル(22)(32)とを有する複数の表示部(20)(30)を、連結機構(40)によって相対的に開閉やスライド等により移動可能に連結して構成することができる。
【００１９】
図１乃至図６では、第２表示画面(31)が上方に向くように、第２表示部(30)を水平に配置した状態を示しており、何れも図中第２表示部(30)が向いている方向を「上」、その背面側を「下」、図１乃至図４では図中左前方を「前」、右後方を「後」、図５及び図６では、図中左側を「前」、右側を「後」と称する。「左」「右」については、前記「前」方向から見た左右方向を夫々意味するものとする。また、第１表示部(20)及び第２表示部(30)について、図１に示す前側の端部を夫々「基端」、後側の端部を「後端」と称する。
【００２０】
第１表示部(20)及び第２表示部(30)は、夫々図に示すように、一方の面、即ち、図１における上面が開口した筺体(23)(33)内に、情報を表示可能な表示画面(21)(31)が開口側から視認可能となるように収容されている。表示画面(21)(31)は、液晶ディスプレイを例示でき、後述する制御手段(60)(図７参照)に電気的に接続され、各種情報を表示可能となっている。なお、図１において、後側に位置する表示部を第１表示部(20)、前側に位置する表示部を第２表示部(30)と称する。
【００２１】
表示画面(21)(31)の開口側には、ユーザが指等で触れることにより操作可能なタッチパネル(22)(32)を有する。タッチパネル(22)(32)は、筺体(23)(33)の開口を塞ぐように配設され、表示画面(21)(31)が視認可能となるよう透明に形成されている。タッチパネル(22)(32)として、静電容量方式や抵抗膜方式のものを例示できる。
タッチパネル(22)(32)は、タッチパネル制御部(25)(35)を介して制御手段(60)(図７参照)に電気的に接続されており、ユーザがタッチパネル(22)(32)を指等で触れて操作することにより、該当する座標情報がタッチパネル制御部(25)(35)を介して制御手段(60)に入力され、各種操作等に用いられる。
【００２２】
タッチパネル(22)(32)を用いたユーザの操作として、比較的短くタッチパネル(22)(32)に触れるタップ、ダブルタップや、タッチパネル(22)(32)に触れる時間が、これらよりも長いドラッグ、フリック、ピンチ、ロングタッチ(前述の「長押し操作」)を例示できる。
【００２３】
また、筺体(23)(33)には、タッチパネル(22)(32)及び筺体(23)(33)の周面に複数の操作ボタン(50)(50)を配置することができる。操作ボタン(50)(50)として、電源ボタン等を例示できる。これら操作ボタン(50)(50)も制御手段(60)(図７参照)に電気的に接続され、操作ボタン(50)(50)の操作により各種制御が可能となっている。
【００２４】
第１表示部(20)と第２表示部(30)は、連結機構(40)により、相対的に移動可能となっており、本実施例の電子機器(10)では、図１乃至図６に示すように、第１表示部(20)を第２表示部(30)に対してスライド可能且つ回動可能としている。
【００２５】
連結機構(40)は、図１乃至図６に示すように、第１筺体(23)の背面側の前後方向略中央と、第２筺体(33)の先端を連結している。連結機構(40)は、複数のアーム等によって構成することができ、その詳細については説明を省略するが、後述するとおり、連結機構(40)によって、第１表示部(20)は、第２表示部(30)に対して、接近、離間方向にスライド可能且つ回動可能となっている。
なお、連結機構(40)は、第１表示部(20)と第２表示部(30)をスライドのみ又は回動のみ等に連結するように構成することもできる。
【００２６】
第１表示部(20)と第２表示部(30)の相対的な位置は、移動検知センサ(70)によって検知することができる。
移動検知センサ(70)は、第１表示部(20)と第２表示部(30)の接近、離間を検知する接触型のスイッチや、マグネット(72)とマグネットセンサ(71)からなる非接触型のセンサ、第１表示部(20)と第２表示部(30)又は両表示部(20)(30)と連結機構(40)との相対的な角度変化を検知するポテンショメータ等を例示できる。
移動検知センサ(70)も制御手段(60)(図７参照)に電気的に接続されている。
【００２７】
移動検知センサ(70)として、本実施例では、図１及び図３(ａ)に示すように、第１表示部(20)の基端にマグネット(72)を埋設し、フラット接近状態にて該マグネット(72)と接近する第２表示部(30)の先端にマグネットセンサ(71)を収容し、第１表示部(20)と第２表示部(30)の接近、離間を検知できるようにしている。これにより、電子機器(10)が図１及び図３(ａ)に示す状態にあるか、それ以外の状態にあるかを検知することができる。
また、連結機構(40)と第１表示部(20)との連結部分に、図５(ａ)に示すように、ポテンショメータ(74)を配備し、第１表示部(20)が連結機構(40)に対して回転したことを検知するようにしている。
【００２８】
図７は、本発明の電子機器のブロック図の一例を示している。
電気機器のすべての制御は、図７に示すように、ＣＰＵ等から構成される制御手段(60)により行なわれる。
【００２９】
制御手段(60)には、前述した第１表示画面(21)、第２表示画面(31)が電気的に接続されており、情報を表示可能となっている。
【００３０】
また、第１タッチパネル(22)及び第２タッチパネル(32)は、夫々第１タッチパネル制御部(25)、第２タッチパネル制御部(35)を介して制御手段(60)に電気的に接続されており、第１タッチパネル(22)及び第２タッチパネル(32)からのユーザの入力は、タッチパネル制御部(25)(35)を介して制御手段(60)に送信され、制御手段(60)は、入力に応じて、表示画面(21)(31)の情報を編集、操作等行なう。
【００３１】
制御手段(60)には、上述した操作ボタン(50)(50)の他、電子機器(10)の各種動作やユーザの所望する各種データ等を記憶するメモリ(61)、タイマー(62)等が電気的に接続されている。
【００３２】
上述の連結機構(40)により接続された第１表示部(20)と第２表示部(30)は、以下の要領で相対的に移動可能となっている。
【００３３】
例えば、図１は、第１表示部(20)と第２表示部(30)が、第１表示画面(21)と第２表示画面(31)を略同一平面とし、且つ第１筺体(23)の基端と第２筺体(33)の先端が接近した状態を示している。図１の側面図が図５(ａ)である。この状態を「フラット接近状態」と称する。
フラット接近状態では、第１表示画面(21)と第２表示画面(31)は連続し、１つの画面として視認でき、また、第１タッチパネル(22)と第２タッチパネル(32)も連続した１つのタッチパネルの如く操作することができる。
表示部(20)(30)がフラット接近状態にあることは、上記したマグネットセンサ(71)により検知され、制御手段(60)に送信することができる。
【００３４】
上記フラット接近状態から、図２に示すように、第２筺体(33)の背面をユーザが手(Ｐ)の四指で支え、母指球で第２タッチパネル(32)を支えながら、両親指(Ｔ)で第１タッチパネル(22)を後方に押すと、第１表示部(20)は、第２表示部(30)に対して離間方向にスライドする。この状態を「フラット離間状態」と称し、その側面図を図５(ｂ)に示す。
フラット接近状態からフラット離間状態に移行したことは、マグネットセンサ(71)により検知され、制御手段(60)に送信することができる。
【００３５】
図２のフラット離間状態から、第１表示部(20)の先端側を掴んで、第１表示画面(21)が前方に傾くように第１表示部(20)を引き上げると、図３及び図５(ｃ)に示すように、第１表示画面(21)が第２表示画面(31)に対して傾けることができる。この状態を「チルト状態」と称する。この動作は、一方の手で第２筺体(33)を押さえたまま、他方の手の親指と人差し指等で第１表示部(20)を摘んで引き上げることにより行なうことができる。
上記のように、第１表示部(20)が回動したことは、ポテンショメータ(74)により検知され、制御手段(60)に送信することができる。
【００３６】
チルト状態では、第２表示画面(31)を水平に保ったまま、第１表示画面(21)が傾いているから、第１表示画面(21)を視認し易く、例えば、第１表示画面(21)に文字等の情報を表示し、第２表示画面(31)にキーボード等を表示し、第２タッチパネル(32)の操作によって、操作性にすぐれる電子機器(10)とすることができる。
【００３７】
チルト状態から図６(ａ)に示すように、第１表示部(20)を連結機構(40)との連結部分を中心として後方に倒し、さらに、図６(ｂ)に示すように、第１表示部(20)の先端が第２表示部(30)の先端に接近するように下方に押し下げることで、図４及び図６(ｃ)に示すように、第１表示部(20)と第２表示部(30)が、第１表示部(20)を上側として重なった畳み状態とすることができる。
なお、上記のように、第１表示部(20)が回動したことは、ポテンショメータ(74)により検知され、制御手段(60)に送信することができる。
【００３８】
畳み状態では、第１表示部(20)のみが視認可能、且つ、第１タッチパネル(22)と表面に露出した操作ボタン(50)(50)のみが操作可能であり、第２表示部(30)は視認できず、また、第２タッチパネル(32)の操作も行なうことはできない。
この畳み状態では、第１表示画面(21)にのみ情報を表示し、第１タッチパネル(22)及び表面に露出した操作ボタン(50)(50)のみを操作する使用状態や、電子機器(10)をコンパクトにできるから、非使用状態や持ち運びに好適である。
【００３９】
畳み状態からチルト状態やフラット接近状態へ移行するには、上記とは逆の動作を行なえばよい。
【００４０】
一般的な操作においては、制御手段(60)は、第１表示画面(21)及び第２表示画面(31)への情報の表示、第１タッチパネル(22)や第２タッチパネル(32)、操作ボタン(50)(50)からの入力に基づく各種制御、移動検知センサ(70)に基づいて、第１表示画面(21)や第２表示画面(31)に表示される情報を切り替えることができる。
【００４１】
ところで、フラット接近状態からフラット離間状態への移行又はその逆向きの移行、フラット離間状態からチルト状態、チルト状態から畳み状態への移行又はその逆向きの移行において、上記のようにタッチパネル(22)(32)に親指や母指球等が触れるから、タッチパネル(22)(32)が入力として認識し、誤操作や誤動作等の原因となることがある。
【００４２】
上記動作において、ユーザがタッチパネル(22)(32)に対して触れる時間は、タップやダブルタップに比して長い長押し操作、即ち、ドラッグ、フリック、ピンチ、ロングタッチの如き操作としてタッチパネル制御部(25)(35)に認識され、制御手段(60)に送信される。
【００４３】
そこで、本発明では、長押し操作が行なわれている状態で、移動検知センサ(70)が第１表示部(20)と第２表示部(30)との相対的な移動を検知すると、ユーザによるタッチパネル(22)(32)への入力は、第１表示部(20)を第２表示部(30)に対して相対的に移動させるために行なわれたユーザの所望しない入力であると判断し、その操作により、タッチパネル制御部(25)(35)から制御手段(60)へ入力される信号を無効化する。
【００４４】
また、移動検知センサ(70)が第１表示部(20)と第２表示部(30)が相対的に移動している間にユーザがタッチパネル(22)(32)へ触れることにより、タッチパネル制御部(25)(35)から制御手段(60)へ入力される信号も無効化することが望ましい。
【００４５】
具体的な実施形態として、フローチャート図８に示すように、制御手段(60)は、移動検知センサ(70)が第１表示部(20)と第２表示部(30)との相対的な移動を検知すると(ステップ１のＹｅｓ)、タッチパネル制御部(25)(35)からの信号に基づいて、第１タッチパネル(22)及び／又は第２タッチパネル(32)が長押し操作されている状態かどうかを判断する(ステップ２)。このとき、長押し操作されている状態であれば(ステップ２のＹｅｓ)、その入力された長押し操作を無効化すると共に、その間のタッチパネル(22)(32)からタッチパネル制御部(25)(35)を介して入力される信号の入力自体を無効化する(ステップ３)。
これにより、ユーザが表示部(20)(30)のスライドや開閉を行なうためにタッチパネル(22)(32)に触れた場合に、その操作を無効化とできるから、ユーザが所望しない誤操作や誤動作等を防止することができる。
【００４６】
移動検知センサ(70)が第１表示部(20)と第２表示部(30)との相対的な移動を検知したときに(ステップ１のＹｅｓ)、長押し操作がされていない場合には(ステップ２のＮｏ)、タッチパネル(22)(32)からタッチパネル制御部(25)(35)を介して入力される信号の入力を無効化する(ステップ４)。
【００４７】
タッチパネル(21)(31)を無効化した後(ステップ３及びステップ４)、制御手段(60)に配備されたタイマー(62)により所定時間(例えば２秒)経過すると(ステップ５)、再度タッチパネル(22)(32)を有効にすることで(ステップ６)、ユーザが所望する位置関係の表示部(20)(30)で電子機器(10)を操作することができる。なお、タイマー(62)のカウント時間は上記に限るものではない。
また、移動検知センサ(70)が表示部(20)(30)の相対的な移動を検知している間のみ、長押し操作の入力やタッチパネル(22)(32)への操作を無効化するようにしてもよい。
【００４８】
上記によれば、ユーザが、タッチパネル(22)(32)を掴んだり、触れたりした状態で、第１表示部(20)と第２表示部(30)を相対的にスライドや開閉により移動させる際のタッチパネル(22)(32)からの信号の入力を無効化することができるから、誤操作や誤動作等を可及的に低減させることができる。
【００４９】
なお、上記実施例では、表示部(20)(30)どうしの相対的なスライドや回動における長押し操作を無効化するようにしているが、表示部(20)(30)に重力方向による加速度を検知する加速度センサを配備し、ユーザがタッチパネル(22)(32)を掴んだ状態で、電子機器(10)の向きを横方向から縦方向等に変える際に生ずる誤操作や誤動作等を防止するようにしてもよい。
【産業上の利用可能性】
【００５０】
本発明は、表示部どうしを相対的に移動させる際に、誤操作や誤動作等を生じない電子機器として有用である。
【符号の説明】
【００５１】
(10)       
電子機器
(20)       
第１表示部
(21)       
第１表示画面
(22)       
第１タッチパネル
(30)       
第２表示部
(31)       
第２表示画面
(32)       
第２タッチパネル
(40)       
連結機構
(60)       
制御手段
(70)       
移動検知センサ
(71)       
マグネットセンサ
(72)       
マグネット
(73)       
ポテンショメータ
【図１】
2012168618.tif 000003
【図２】
2012168618.tif 000004
【図３】
2012168618.tif 000005
【図４】
2012168618.tif 000006
【図５】
2012168618.tif 000007
【図６】
2012168618.tif 000008
【図７】
2012168618.tif 000009
【図８】
2012168618.tif 000010